(57)【要約】【課題】電子書籍におけるページ送り、ページ戻しという操作をユーザーがより直感的に行なうことができ、誤検出を低減することが可能な情報処理装置及び情報処理方法を提供すること。【解決手段】書籍データをページ毎に表示する第１の表示部１０３と、書籍データをページ毎に表示する、第１の表示部に隣接して設けられる第２の表示部１０４と、第１の表示部と第２の表示部間に設けられる軸部１０７と、軸部を中心とした第１の表示部の回転角変位を検出する第１の検出部１０５と、軸部を中心とした第２の表示部の回転角変位を検出する第２の検出部１０６と、第１の表示部の回転角変位及び第２の表示部の回転角変位に基づいて、第１の表示部に表示された第Ｎページを第２の表示部に表示する、又は第２の表示部に表示された第Ｎページを第１の表示部に表示する表示ページ制御部１２２とを有する。【選択図】図１
2010134039.tif 000002
【特許請求の範囲】
【請求項１】
書籍データをページ毎に表示する第１の表示部と、
前記書籍データをページ毎に表示する、前記第１の表示部に隣接して設けられる第２の表示部と、
前記第１の表示部と前記第２の表示部間に設けられる軸部と、
前記軸部を中心とした前記第１の表示部の回転角変位を検出する第１の検出部と、
前記軸部を中心とした前記第２の表示部の回転角変位を検出する第２の検出部と、
前記第１の表示部の回転角変位及び前記第２の表示部の回転角変位に基づいて、前記第１の表示部に表示された第Ｎページを前記第２の表示部に表示する、又は第２の表示部に表示された第Ｎページを第１の表示部に表示する表示ページ制御部と
を有する、情報処理装置。
【請求項２】
前記表示ページ制御部は、前記第１の表示部と前記第２の表示部が開状態から、前記第１の表示部の回転角変位及び前記第２の表示部の回転角変位の変位差が所定の第１の閾値より大きくなったとき、前記第１の表示部と前記第２の表示部が閉状態に移行したと判断する、請求項１に記載の情報処理装置。
【請求項３】
前記表示ページ制御部は、前記第１の表示部と前記第２の表示部が閉状態に移行したのち、前記第１の表示部の回転角変位及び前記第２の表示部の回転角変位の変位差が所定の第２の閾値より小さくなったとき、前記第１の表示部と前記第２の表示部が再度開状態に移行したと判断する、請求項２に記載の情報処理装置。
【請求項４】
前記表示ページ制御部は、前記第１の表示部と前記第２の表示部が閉状態に移行してから、前記第１の表示部と前記第２の表示部が再度開状態に移行するまでの時間を測定し、測定結果に基づいてユーザーによる開閉動作が行われたか否かを判断する、請求項３に記載の情報処理装置。
【請求項５】
前記表示ページ制御部は、前記第１の表示部と前記第２の表示部が開状態から閉状態への移行を開始してからの前記第１の表示部の回転角変位の変位総量及び第２の表示部の回転角変位の変位総量を算出し、前記第１の表示部の回転角変位の変位総量が所定の第３の閾値より大きく、前記第２の表示部の回転角変位の変位総量より大きいと判断したとき、前記第１の表示部に表示された第Ｎページを前記第２の表示部に表示する、請求項３又は４に記載の情報処理装置。
【請求項６】
前記表示ページ制御部は、前記第１の表示部と前記第２の表示部が開状態から閉状態への移行を開始してからの前記第１の表示部の回転角変位の変位総量及び第２の表示部の回転角変位の変位総量を算出し、前記第２の表示部の回転角変位の変位総量が所定の第３の閾値より大きく、前記第１の表示部の回転角変位の変位総量より大きいと判断したとき、前記第２の表示部に表示された第Ｎページを前記第１の表示部に表示する、請求項３又は４に記載の情報処理装置。
【請求項７】
第１の表示部に書籍データをページ毎に表示するステップと、
前記第１の表示部に隣接して設けられる第２の表示部に前記書籍データをページ毎に表示するステップと、
前記第１の表示部と前記第２の表示部間に設けられる軸部を中心とした前記第１の表示部の回転角変位を検出するステップと、
前記軸部を中心とした前記第２の表示部の回転角変位を検出するステップと、
前記第１の表示部の回転角変位及び前記第２の表示部の回転角変位に基づいて、前記第１の表示部に表示された第Ｎページを前記第２の表示部に表示する、又は第２の表示部に表示された第Ｎページを第１の表示部に表示するステップと
を有する、情報処理方法。
【発明の詳細な説明】
【技術分野】
【０００１】
本発明は、情報処理装置及び情報処理方法に関する。
【背景技術】
【０００２】
電子ブックリーダー（e-book  reader）は、電子書籍等の内容をディスプレイに表示させる装置であり、一般にユーザーが携帯できる大きさや重さを有する。これらの電子ブックリーダーにおいて、書籍のページを変更する方法は、例えば電子ブックリーダーに設けられたボタンの押下や、タッチパネルによる入力が中心である。
【０００３】
また、特許文献１〜３には、電子ブックリーダーにジャイロセンサー又は加速度センサーが設けられ、当該センサーの検出結果に基づいて、電子ブックリーダーに表示されるページをめくる技術が開示されている。
【０００４】
【特許文献１】特開２００３−２１６３００号公報
【特許文献２】特開２００６−３２３８５９号公報
【特許文献３】特開２００３−２６３１４４号公報
【発明の開示】
【発明が解決しようとする課題】
【０００５】
ところで、ボタンによって電子ブックリーダーを操作する場合、電子ブックリーダー本体にボタンの設置が必要であり、ディスプレイの画面面積を狭めてしまう。また、ボタンを押すという行為と書籍のページをめくるという行為が直感的に結びつかないため、使用しづらいという問題があった。更に、タッチパネルによる入力は、ユーザーが電子ブックリーダーを持つ手と別にタッチパネルを操作する手が必要である。そして、画面に対する操作が直感性に欠けるという問題があった。
【０００６】
また、ジャイロセンサーや加速度センサー等を用いて、ユーザーが装置を振る動作（ジェスチャー）を検出する技術がある。しかし、ユーザーが装置を振るときは、振る方向と反対方向の反動成分も大きいため、誤検出が発生する問題があり、装置を振る動作を装置に対する操作の１つのジェスチャーとして区別することは困難であるという問題があった。更に、書籍のページ送り、ページ戻しといった正反対の動作を、装置を振るという動作に対応づけることは更に困難であり、ユーザーの意図とは全く異なる動作をするおそれがある。
【０００７】
そこで、本発明は、上記問題に鑑みてなされたものであり、本発明の目的とするところは、電子書籍におけるページ送り、ページ戻しという操作をユーザーがより直感的に行なうことができ、誤検出を低減することが可能な、新規かつ改良された情報処理装置及び情報処理方法を提供することにある。
【課題を解決するための手段】
【０００８】
上記課題を解決するために、本発明のある観点によれば、書籍データをページ毎に表示する第１の表示部と、書籍データをページ毎に表示する、第１の表示部に隣接して設けられる第２の表示部と、第１の表示部と第２の表示部間に設けられる軸部と、軸部を中心とした第１の表示部の回転角変位を検出する第１の検出部と、軸部を中心とした第２の表示部の回転角変位を検出する第２の検出部と、第１の表示部の回転角変位及び第２の表示部の回転角変位に基づいて、第１の表示部に表示された第Ｎページを第２の表示部に表示する、又は第２の表示部に表示された第Ｎページを第１の表示部に表示する表示ページ制御部とを有する情報処理装置が提供される。
【０００９】
上記表示ページ制御部は、第１の表示部と第２の表示部が開状態から、第１の表示部の回転角変位及び第２の表示部の回転角変位の変位差が所定の第１の閾値より大きくなったとき、第１の表示部と第２の表示部が閉状態に移行したと判断してもよい。
【００１０】
上記表示ページ制御部は、第１の表示部と第２の表示部が閉状態に移行したのち、第１の表示部の回転角変位及び第２の表示部の回転角変位の変位差が所定の第２の閾値より小さくなったとき、第１の表示部と第２の表示部が再度開状態に移行したと判断してもよい。
【００１１】
上記表示ページ制御部は、第１の表示部と第２の表示部が閉状態に移行してから、第１の表示部と第２の表示部が再度開状態に移行するまでの時間を測定し、測定結果に基づいてユーザーによる開閉動作が行われたか否かを判断してもよい。
【００１２】
上記表示ページ制御部は、第１の表示部と第２の表示部が開状態から閉状態への移行を開始してからの第１の表示部の回転角変位の変位総量及び第２の表示部の回転角変位の変位総量を算出し、第１の表示部の回転角変位の変位総量が所定の第３の閾値より大きく、第２の表示部の回転角変位の変位総量より大きいと判断したとき、第１の表示部に表示された第Ｎページを第２の表示部に表示してもよい。
【００１３】
上記表示ページ制御部は、第１の表示部と第２の表示部が開状態から閉状態への移行を開始してからの第１の表示部の回転角変位の変位総量及び第２の表示部の回転角変位の変位総量を算出し、第２の表示部の回転角変位の変位総量が所定の第３の閾値より大きく、第１の表示部の回転角変位の変位総量より大きいと判断したとき、第２の表示部に表示された第Ｎページを第１の表示部に表示してもよい。
【００１４】
また、上記課題を解決するために、本発明の別の観点によれば、第１の表示部に書籍データをページ毎に表示するステップと、第１の表示部に隣接して設けられる第２の表示部に書籍データをページ毎に表示するステップと、第１の表示部と第２の表示部間に設けられる軸部を中心とした第１の表示部の回転角変位を検出するステップと、軸部を中心とした第２の表示部の回転角変位を検出するステップと、第１の表示部の回転角変位及び第２の表示部の回転角変位に基づいて、第１の表示部に表示された第Ｎページを第２の表示部に表示する、又は第２の表示部に表示された第Ｎページを第１の表示部に表示するステップとを有する情報処理方法が提供される。
【発明の効果】
【００１５】
本発明によれば、電子書籍におけるページ送り、ページ戻しという操作をユーザーがより直感的に行なうことができ、誤検出を低減することができる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、説明は、以下の順序で行う。
１．一実施形態の構成
２．一実施形態の動作
【００１７】
＜１．一実施形態の構成＞
まず、本発明の一実施形態に係る電子ブックリーダー１００について説明する。図１は、本実施形態に係る電子ブックリーダー１００を示すブロック図である。
本実施形態に係る電子ブックリーダー１００は、例えば、表示パネルＡ１０１と、表示パネルＢ１０２と、表示制御部１１０と、制御部１２０と、メモリ１３２と、ストレージ１３４と、入出力Ｉ／Ｆ１３６と、画像信号処理部１３８などからなる。
【００１８】
電子ブックリーダー（e-book  reader）１００は、例えば、電子書籍データを表示することが可能な装置であり、一般にユーザーが携帯できる大きさや重さを有する。なお、電子ブックリーダー１００は、情報処理装置の一例であり、情報処理装置は、パーソナルコンピュータ、オーディオプレイヤー、メディアプレイヤー、ＰＤＡ（personal  digital  assistant）、携帯電話などであってもよい。
【００１９】
表示パネルＡ１０１及び表示パネルＢ１０２は、図２に示すように、電子ブックリーダー１００の外観を構成する。図２は、本実施形態に係る電子ブックリーダー１００の外観を示す説明図である。図２では、長方形形状を有する表示パネルＡ１０１及び表示パネルＢ１０２がある角度をもって開かれている状態を示している。
【００２０】
表示パネルＡ１０１及び表示パネルＢ１０２は、長方形の１辺を共有しており、共有部分は軸部１０７で接続されている。表示パネルＡ１０１及び表示パネルＢ１０２は、軸部１０７を中心に回転する。表示パネルＡ１０１は、表示部Ａ１０３とジャイロセンサーＡ１０５を有し、表示パネルＢ１０２は、表示部Ｂ１０４とジャイロセンサーＢ１０６を有する。表示部Ａ１０３は、第１の表示部の一例であり、表示部Ｂ１０４は、第２の表示例の一例である。ジャイロセンサーＡ１０５は、第１の検出部の一例であり、ジャイロセンサーＢ１０６は、第２の検出部の一例である。
【００２１】
表示部Ａ１０３、表示部Ｂ１０４は、例えば、液晶ディスプレイ、有機ＥＬディスプレイ等であり、表示制御部１１０によって制御される。表示部Ａ１０３、表示部Ｂ１０４は、データのタイトルなどを表示するメニュー画面や、画像データによる画像、書籍データによる書籍の各ページを表示する。本実施形態では、ページ送りやページ戻しのためのボタンなどを設ける必要がないため、表示部Ａ１０３、表示部Ｂ１０４は、表示パネルＡ１０１、表示パネルＢ１０２の大部分を占める面積で表示パネルＡ１０１、表示パネルＢ１０２に設置することができる。表示部Ａ１０３、表示部Ｂ１０４は、表示パネルＡ１０１及び表示パネルＢ１０２を閉じたとき、互いに対向するように組み合わされる。
【００２２】
表示制御部１１０は、入力された画像信号を利用して表示部Ａ１０３、表示部Ｂ１０４を駆動する。これによって、表示部Ａ１０３、表示部Ｂ１０４の画面には、画像信号に応じた画像が表示される。
【００２３】
ジャイロセンサーＡ１０５、ジャイロセンサーＢ１０６は、それぞれ表示パネルＡ１０１、表示パネルＢ１０２に内蔵される。ジャイロセンサーＡ１０５、ジャイロセンサーＢ１０６は、軸部１０７の軸に平行な軸を中心とする回転の角速度を検出できる。ジャイロセンサーＡ１０５は、表示部Ａ１０３の回転角変位を検出し、ジャイロセンサーＢ１０６は、表示部Ｂ１０４の回転角変位を検出する。なお、回転角変位は、検出された角速度を経過時間で積分して算出される。なお、ジャイロセンサーＡ１０５、ジャイロセンサーＢ１０６ではなく、加速度センサーを用いて、軸部１０７の軸に平行な軸を中心とする回転の角変位を算出してもよい。
【００２４】
表示制御部１１０は、画像信号処理部１３８から受けた画像信号の再生処理をする。また、表示制御部１１０は、表示データの合成処理をして、表示部Ａ１０３、表示部Ｂ１０４で利用者が視聴可能となるデータを生成する。表示制御部１１０で生成されたデータは、表示部Ａ１０３、表示部Ｂ１０４に出力される。
【００２５】
制御部１２０は、例えばＣＰＵ（Central  Processing  Unit）、ＲＯＭ（Read  Only  Memory）、ＲＡＭ（Random  Access  Memory）などが組み合わされて構成されるマイクロコンピュータなどを有する。制御部１２２は、プログラムによって演算処理装置及び制御装置として機能し、電子ブックリーダー１００における上記各構成要素などを制御する。
【００２６】
制御部１２０は、更にページ送り方向算出部１２２を有する。ページ送り方向算出部１２２は、表示ページ制御部の一例であり、表示部Ａ１０３の回転角変位及び表示部Ｂ１０４の回転角変位に基づいて、表示部Ａ１０３に表示された第Ｎページを表示部Ｂ１０４に表示する、又は表示部Ｂ１０４に表示された第Ｎページを表示部Ａ１０３に表示する。
【００２７】
メモリ１３２は、例えば、ＲＡＭ、ＲＯＭ、キャッシュメモリなどの記憶部で構成されており、制御部１２０のＣＰＵの処理に関するデータ、ＣＰＵの動作プログラムなどを一時的に記憶する機能を有する。
【００２８】
ストレージ１３４は、例えば、ハードディスク、光ディスク、フラッシュメモリなどであり、データを長期に亘って格納するための記憶部である。ストレージ１３４は、例えば、電子書籍データ、画像データなどを記憶する。ストレージ１３４は、電子書籍データや画像データを、制御部１２０におけるデータ受信制御処理、蓄積制御処理を経て記録する。
【００２９】
入力Ｉ／Ｆ１３６は、例えば、ＵＳＢ端子、IEEE  1394端子等であり、外部装置と接続可能なインターフェースである。各種データは、入力Ｉ／Ｆ１３６を介して、電子ブックリーダー１００に入力される。
【００３０】
画像信号処理部１３８は、画像信号を復号処理したり、復号処理した画像信号を画像信号処理したりする。画像信号処理部１３８は、画像信号について、表示部Ａ１０３、表示部Ｂ１０４の画素数に変換する解像度変換、輝度補正、色補正、ガンマ補正など各種所要の信号処理を実行する。
【００３１】
＜２．一実施形態の動作＞
次に、本実施形態に係る電子ブックリーダー１００の動作について説明する。図３は、本実施形態に係る電子ブックリーダー１００の動作を示すフローチャートである。図４は、本実施形態に係る電子ブックリーダー１００のページ送り動作を示す説明図である。図５は、本実施形態に係る電子ブックリーダー１００のページ戻し動作を示す説明図である。
【００３２】
まず、電子ブックリーダー１００（端末）は、開状態であることを検出する（ステップＳ１０１）。開状態であるとは、表示パネルＡ１０１及び表示パネルＢ１０２が対向せず開いている状態をいう。これにより、電子ブックリーダー１００のページ操作が有効な状態となる。
【００３３】
次に、ジャイロセンサーＡ１０５の回転角変位と、ジャイロセンサーＢ１０６の回転角変位の変位差（∫Ｇ１−∫Ｇ２）を算出する。ここで、Ｇ１はジャイロセンサーＡ１０５で取得された角速度を示し、Ｇ２はジャイロセンサーＢ１０６で取得された角速度を示す。∫Ｇ１は、ジャイロセンサーＡ１０５で取得された角変位を示し、∫Ｇ２は、ジャイロセンサーＢ１０６で取得された角変位を示す。
【００３４】
表示パネルＡ１０１と表示パネルＢ１０２が開状態から、表示パネルＡ１０１の回転角変位及び表示パネルＢ１０２の回転角変位の変位差が所定の第１の閾値Ｒ１より大きくなったとき、表示パネルＡ１０１と表示パネルＢ１０２がある程度閉状態に移行したと判断する（ステップＳ１０２）。このとき、電子ブックリーダー１００にフィードバックを示すことが望ましい。ここで、所定の第１の閾値Ｒ１は、例えば１／２π＜Ｒ１＜πである。表示パネルＡ１０１の回転角変位及び表示パネルＢ１０２の回転角変位の変位差が所定の第１の閾値Ｒ１に到達するまでは、開状態のままである。
【００３５】
次に、回転角変位の変位差を検出し続けて、表示パネルＡ１０１と表示パネルＢ１０２が閉状態に移行したのち、表示パネルＡ１０１の回転角変位及び表示パネルＢ１０２の回転角変位の変位差（∫Ｇ１−∫Ｇ２）が所定の第２の閾値Ｒ２より小さくなったとき、表示パネルＡ１０１と表示パネルＢ１０２が再度開状態に移行したと判断する（ステップＳ１０３）。ここで、所定の第２の閾値Ｒ２は、Ｒ２＜１／２πである。
【００３６】
なお、表示パネルＡ１０１と表示パネルＢ１０２が閉状態に移行してから、表示パネルＡ１０１と表示パネルＢ１０２が再度開状態に移行するまでの時間を測定し、測定結果に基づいてユーザーによる開閉動作が行われたか否かを判断する（ステップＳ１０９）。例えば、測定された時間が一定時間内に行われている場合に、その時点で初めて電子ブックリーダー１００が閉じられたのち開かれたということを検出する。
【００３７】
また、表示パネルＡ１０１と表示パネルＢ１０２が開状態から閉状態への移行を開始してからの表示パネルＡ１０１の回転角変位の変位総量（∫｜Ｇ１｜）と、表示パネルＢ１０２の回転角変位の変位総量（∫｜Ｇ２｜）を算出する。そして、表示パネルＡ１０１の回転角変位の変位総量（∫｜Ｇ１｜）が所定の第３の閾値Ｒ３より大きく、かつ表示パネルＢ１０２の回転角変位の変位総量（∫｜Ｇ２｜）より大きいか否かを判断する（ステップＳ１０４）。ここで、所定の第３の閾値Ｒ３は、π＜Ｒ３＜２πである。∫｜Ｇ１｜＞∫｜Ｇ２｜を保証しておくことで、電子ブックリーダー１００自体が回転している場合を除外することができる。
【００３８】
ここで、いずれの条件を満たす場合は、図５に示すように電子ブックリーダー１００の左側（表示パネルＡ１０１側）が主に動かされたと判断でき、ページ戻し操作であると判断される（ステップＳ１０５）。例えば、表示パネルＡ１０１に表示された第Ｎページを表示パネルＢ１０２に表示する。この動作に伴って、表示パネルＢ１０２に表示されていた第Ｎ＋１頁は、第Ｎページに変更され、表示パネルＡ１０１に表示されていた第Ｎ頁は、第Ｎ−１ページに変更される。
【００３９】
一方、表示パネルＢ１０２の回転角変位の変位総量（∫｜Ｇ２｜）が所定の第３の閾値Ｒ３より大きく、かつ表示パネルＡ１０１の回転角変位の変位総量（∫｜Ｇ１｜）より大きいか否かを判断する（ステップＳ１０６）。ここで、所定の第３の閾値Ｒ３は、π＜Ｒ３＜２πである。∫｜Ｇ１｜＜∫｜Ｇ２｜を保証しておくことで、電子ブックリーダー１００自体が回転している場合を除外することができる。
【００４０】
ここで、いずれの条件を満たす場合は、図４に示すように電子ブックリーダー１００の右側（表示パネルＢ１０２側）が主に動かされたと判断でき、ページ送り操作であると判断される（ステップＳ１０７）。例えば、表示パネルＢ１０２に表示された第Ｎ＋１ページを表示パネルＡ１０１に表示する。この動作に伴って、表示パネルＢ１０２に表示されていた第Ｎ＋１頁は、第Ｎ＋２ページに変更され、表示パネルＡ１０１に表示されていた第Ｎ頁は、第Ｎ＋１ページに変更される。
【００４１】
ステップＳ１０４とステップＳ１０６のいずれの場合にも該当しないときは、電子ブックリーダー１００が閉じて開かれただけであり、ページ送り操作、ページ戻し操作のいずれにも該当しないと判断される。
【００４２】
上記の一連の動作が完了したとき、∫Ｇ１、∫Ｇ２、∫｜Ｇ１｜、∫｜Ｇ２｜をリセットし、ユーザーによる次のジェスチャーに備える（ステップＳ１０８）。
【００４３】
以上、本実施形態によれば、ジャイロセンサーを用いたページ操作のジェスチャー検出が可能になる。また、単一のジャイロセンサーでは、ページ送り及びページ戻しの判定が困難であるが、本実施形態では検出誤りを最小限にすることができ、誤操作を防止する効果を得ることができる。
【００４４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００４５】
【図１】本発明の一実施形態に係る電子ブックリーダーを示すブロック図である。
【図２】同実施形態に係る電子ブックリーダーの外観を示す説明図である。
【図３】同実施形態に係る電子ブックリーダーの動作を示すフローチャートである。
【図４】同実施形態に係る電子ブックリーダーのページ送り動作を示す説明図である。
【図５】同実施形態に係る電子ブックリーダーのページ戻し動作を示す説明図である。
【符号の説明】
【００４６】
１００      電子ブックリーダー
１０１      表示パネルＡ
１０２      表示パネルＢ
１０３      表示部Ａ
１０４      表示部Ｂ
１０５      ジャイロセンサーＡ
１０６      ジャイロセンサーＢ
１０７      軸部
１１０      表示制御部
１２０      制御部
１２２      ページ送り方向算出部
１３２      メモリ
１３４      ストレージ
１３６      入出力Ｉ／Ｆ
１３８      画像信号処理部
【図１】
2010134039.tif 000003
【図２】
2010134039.tif 000004
【図３】
2010134039.tif 000005
【図４】
2010134039.tif 000006
【図５】
2010134039.tif 000007